(57)【特許請求の範囲】
【請求項１】
身体側に面する透水性の表面側シートと衣服側に面する透水性又は不透水性の裏面側シートとが、経血を吸収する吸収体の表面に沿うようにして該吸収体を内包させた形態で接合された吸収シート体から成るものであり、陰唇に係着させて用いられる陰唇間パッドであって、
略平坦領域と、
該略平坦領域と一体的に形成されるとともに、衣服側を底部とする有底穴であり、その開口部の大きさが１対の小陰唇を外側から被包するように嵌合し得る大きさである経血貯留穴と、
を備え、
前記経血貯留穴は、前前記吸収シート体の外縁から前記経血貯留穴の外縁まで平坦に延びる前記略平坦領域よりも、前記陰唇間パッドの衣服側に膨出したものとなっていることを特徴とする陰唇間パッド。
【請求項２】
前記経血貯留穴が、前記吸収シート体が折り込まれた折込部を有している請求項１に記載の陰唇間パッド。
【請求項３】
前記折込部が前記経血貯留穴の側壁に形成されている請求項２に記載の陰唇間パッド。
【請求項４】
前記折込部が前記経血貯留穴の底部に形成されている請求項２又は３に記載の陰唇間パッド。
【請求項５】
前記経血貯留穴の側壁及び底部の一方又は双方に、前記折込部が複数形成された蛇腹部を備えている請求項２から４のいずれか一項に記載の陰唇間パッド。
【請求項６】
前記経血貯留穴の最大深さが１０ｍｍから６０ｍｍの範囲である請求項１から５のいずれか一項に記載の陰唇間パッド。
【請求項７】
前記陰唇間パッドの身体側の表面に、前記経血貯留穴の開口部外周を包囲する粘着部が形成されている請求項１から６のいずれか一項に記載の陰唇間パッド。
【請求項８】
生理用ナプキンと併用される生理用ナプキン併用用陰唇間パッドである請求項１から７のいずれか一項に記載の陰唇間パッド。
【請求項９】
身体側に面する透水性の表面側シートと衣服側に面する透水性又は不透水性の裏面側シートとが、経血を吸収する吸収体の表面に沿うようにして該吸収体を内包させた形態で接合された吸収シート体から成り、陰唇に係着させて用いられ、略平坦領域と、該略平坦領域と一体的に形成されるとともに、衣服側を底部とする有底穴であり、その開口部の大きさが１対の小陰唇を外側から被包するように嵌合し得る大きさである経血貯留穴と、を備え、前記経血貯留穴は、前前記吸収シート体の外縁から前記経血貯留穴の外縁まで平坦に延びる前記略平坦領域よりも、衣服側に膨出したものとなっている陰唇間パッドが、その長手方向の略中心線に沿って衣服側方向に向かって山折り状となるように個別包装用の包装容器に内包されている包装体。
【請求項１０】
身体側に面する透水性の表面側シートと衣服側に面する透水性又は不透水性の裏面側シートとが、経血を吸収する吸収体の表面に沿うようにして該吸収体を内包させた形態で接合された吸収シート体から成り、陰唇に係着させて用いられ、略平坦領域と、該略平坦領域と一体的に形成されるとともに、衣服側を底部とする有底穴であり、その開口部の大きさが１対の小陰唇を外側から被包するように嵌合し得る大きさである経血貯留穴と、を備え、前記経血貯留穴が、前前記吸収シート体の外縁から前記経血貯留穴の外縁まで平坦に延びる前記略平坦領域よりも衣服側に膨出したものとなっているとともに前記吸収シート体が折り込まれた折込部を有している陰唇間パッドが、個別包装用の包装容器に内包されている包装体であって、
前記陰唇間パッドが、側壁における折込み部又は蛇腹部が折り込まれて収容されており、かつ、少なくとも前記底部が前記包装容器の内壁に仮止めされているものであって、当該包装容器の開封に伴って前記側壁における折込み部又は蛇腹部が広がって前記経血貯留穴が形成されるものであることを特徴とする包装体。
【請求項１１】
身体側に面する透水性の表面側シートと衣服側に面する透水性又は不透水性の裏面側シートとが、経血を吸収する吸収体を内包させた形態で接合された吸収シート体を、
加熱した凸金型と、凹金型と、の間で挟持して加圧する方法により形成することにより請求項１から８のいずれか１項に記載の陰唇間パッドを製造することを特徴とする陰唇間パッドの製造方法。
【発明の詳細な説明】
【０００１】
【発明の属する技術分野】
本発明は、女性の陰唇に係着させて用いる陰唇間パッドに関し、特に、生理用ナプキンと併用され得る陰唇間パッド、並びに、当該陰唇間パッドが個別包装用の包装容器に内包されている包装体に関する。
【０００２】
【従来の技術】
従来より、女性用生理用品としては、生理用ナプキン（以下、単に「ナプキン」と記す。）やタンポンが一般的に用いられている。しかしながら、ナプキンについては、衣服に当接させて用いるものであり、膣口付近への密着性が乏しいために身体との隙間から経血のモレが生じ易く、一方、タンポンは、その物品の属性に起因して、装着時の異物感や不快感を生じ易く、膣内への装着が困難であるという問題があった。
【０００３】
このような状況下、ナプキンとタンポンの中間に位置する生理用品として、近年、陰唇間パッドなる生理用品が注目されるようになってきている。
【０００４】
この陰唇間パッドは、女性の陰唇間にその一部分を挟み込ませ、陰唇に当接させて装着するというものであり、ナプキンよりも身体との密着性が高いために経血のモレが生じ難く、また膣内に挿入するタンポンと比較して装着時の心理的抵抗も少ないという特徴を有している。
【０００５】
上記のような陰唇間パッドとしては、例えば図２に示すような、陰唇間パッド２４が提案されている（特開昭６１−１４９１４５号公報）。
【０００６】
かかる陰唇間パッド２４は、パッドの前方領域２４ａを身体前方側に、パッドの後方領域２４ｂを身体後方側に位置させた後、パッドの後方領域２４ｂをパッドの長手方向の略中心線２６に沿って折曲して凸部を形成し、当該凸部を陰唇間に挟み込み、陰唇自体の挟持力によって固定して使用するものである。このような陰唇間パッド２４は、ナプキンと比較して陰唇外における身体との接触面積（即ち、身体との摩擦抵抗）が極めて少なくなるため、着用者にその装着を意識させずに、快適な使用感を与えることができる。また、陰唇間パッド２４は、主として陰唇内部において直接的に経血を吸収するものであるため、ナプキンのように前庭部から臀部にかけての広い範囲に経血が付着してしまうということがなく、清潔的性能も優れている。
【０００７】
しかしながら、上記の陰唇間パッド２４は、着用者に異物感を与えることを防止する理由から、陰唇間に挟み込む凸部の嵩には上限が存在する。従って、経血を吸収保持し得る量についてもナプキンに比して少なくならざるを得ず、陰唇間パッド外に経血が滲出し易いという問題があった。
【０００８】
また、上記の陰唇間パッド２４は、ナプキンよりサイズが小さいため、経血の横モレが生じ易いという問題があった。横モレ防止に有効な生理用品としては、例えば図３に示すような、生理用ナプキン３４が提案されている（実開平７−１３３１９号公報）。
【０００９】
かかる生理用ナプキン３４は、ナプキン本体の身体側に伸縮性を有する不透水性のフラップ３６を付設し、当該フラップ３６の身体側表面に粘着部３７を形成したものである。当該粘着部３７を身体に対して貼着すると、身体とナプキン本体との間に立体的な不透水壁が形成され、横モレが効果的に防止される。
【００１０】
しかしながら、上記の生理用ナプキン３４は、従来のナプキンと同様の問題点を有している。即ち、経血が前庭部から臀部にかけての広い範囲に付着してしまうことに加え、陰唇間パッドに比べてサイズが大きく嵩高いため、着用者が快適な使用感を得ることができないという問題については何ら解決されていない。
【００１１】
【発明が解決しようとする課題】
本発明は、以上のような課題に鑑みてなされたものであり、その目的は、陰唇間パッドが本来有している清潔的性能を維持しつつ、横モレを防止し、更には、その吸収保持能力を格段に向上させ得る陰唇間パッドを提供することにある。また、本発明においては、そのような陰唇間パッドをコンパクトに収納し、かつ、その機能を即時に発揮し得るように取り出すことが可能な包装体を提供することにある。
【００１２】
【課題を解決するための手段】
上記のような課題を解決するために、本発明の陰唇間パッドは、その中央部近傍に経血貯留穴を設けたことを特徴とするものである。このように経血貯留穴を吸収シート体で構成して吸収能を持たせることによって、陰唇間パッドの吸収保持能力を格段に向上させることができる。また、当該経血貯留穴内に経血を導くことにより、経血の身体への付着が可能な限り防止され、これによって、陰唇間パッドが本来有している清潔的性能も高められることになる。
【００１３】
（１）  身体側に面する透水性の表面側シートと衣服側に面する透水性又は不透水性の裏面側シートとが、経血を吸収する吸収体を内包させた形態で接合された吸収シート体から成るものであり、陰唇に係着させて用いられる陰唇間パッドであって、衣服側を底部とする有底穴であり、その開口部の大きさが１対の小陰唇を外側から被包するように嵌合し得る大きさである経血貯留穴を、中央部近傍に備えることを特徴とする陰唇間パッド。
【００１４】
上記陰唇間パッドは、中央部近傍に設けられた経血貯留穴の開口部に、１対の小陰唇を嵌合させるように着用される。このように着用されると、膣口から排泄された経血は経血貯留穴に速やかに導かれ、一旦貯留される。そして、貯留された経血は、経血貯留穴を構成する吸収シート体内部の吸収体によって吸収される。上記陰唇間パッドは、経血貯留穴という凹部を設けたことによって、陰唇間に挟み込む部分の嵩を増やすことなく、パッド全体として吸収体の嵩及び表面積を増やすことができる。従って、陰唇間パッドの吸収保持能力を格段に向上させることができる。
【００１５】
また、このような構成とすれば、経血は専ら経血貯留穴の内部で貯留・吸収されるため、従来のナプキンのように陰唇と経血が長時間接触することがなく、経血が前庭部から臀部にかけての広い範囲に付着してしまうということもない。従って、陰唇間パッドが本来有している清潔的性能を向上させることが可能である。更には、吸収し切れなかった経血が陰唇間パッドの表面を伝って流れてしまい、横モレするというようなこともなくなる。
【００１６】
（２）  前記経血貯留穴が、前記陰唇間パッドの衣服側に膨出したものとなっている上記（１）に記載の陰唇間パッド。
【００１７】
上記陰唇間パッドは、例えば図４及び図５に示すように、経血貯留穴４４ｂが陰唇間パッド４４の衣服側に膨出したものとなっているので、ある程度の量の経血を貯留し得る容積を確保することが可能であるとともに、経血貯留穴４４ｂに貯留され、そこで吸収される経血と陰唇との間にクリアランスが生じるため、経血と陰唇とが接触し難い状態となる。従って、肌が汚れ難く、肌荒れを低減することができ、陰唇間パッドが本来有している清潔的性能を更に向上させることが可能となる。
【００１８】
（３）  前記経血貯留穴が、前記陰唇間パッドの中央部が陥没するように賦形されたものである上記（１）又は（２）に記載の陰唇間パッド。
【００１９】
「陰唇間パッドの衣服側に膨出したもの」の例としては、例えば図６に示すように、「パッドの中央部が陥没するように賦形されたもの」が挙げられる。このような態様は、経血貯留穴４４ｂが吸収シート体４６の陥没部分から成り、単一の吸収シート体４６によって略平坦領域４４ａと、経血貯留穴４４ｂと、が一体的に形成されているため、経血貯留穴４４の開口部近傍に排泄された経血も当該一体的に形成された吸収シート体４６の表面側シート４１を伝って経血貯留穴４４ｂへとスムーズに案内される。この過程において、経血は吸収シート体４６内部の吸収体４３に吸収されるため、経血がパッドの外部に漏出する事態を回避することができる。
【００２０】
なお、このような態様のパッドは、例えば図７に示すように、表面側シート４１、吸収体４３、裏面側シート４２を積層して成る吸収シート体４６を、加熱した凸金型５０と、凹金型５１と、の間で挟持して加圧する方法により比較的簡便に形成することができる。
【００２１】
（４）  前記陰唇間パッドが、１対の小陰唇を外側から被包するように嵌合し得る大きさの貫通孔を中央部近傍に有するシート状の第１吸収シート体と、前記経血貯留穴の部分を構成する袋状の第２吸収シート体と、からなり、前記第１吸収シート体の衣服側表面と、前記第２吸収シート体の袋体内側表面と、が当接した状態で貼着されている上記（１）又は（２）に記載の陰唇間パッド。
【００２２】
「陰唇間パッドの衣服側に膨出したもの」は、既述のような単一の吸収シート体によって一体的に形成されているものの他、複数の吸収シート体から形成されるものであってもよい。例えば図８に示すように、「貫通孔を中央部近傍に有するシート状の第１吸収シート体４６ａと、経血貯留穴４４ｂの部分を構成する袋状の第２吸収シート体４６ｂと、からなり、第１吸収シート体４６ａの衣服側表面と、第２吸収シート体４６ｂの袋体内側表面と、が当接した状態で貼着されているもの」が挙げられる。このような態様は、後述する製造方法により極めて簡便に製造することができるという利点がある。
【００２３】
（５）  １対の小陰唇を外側から被包するように嵌合し得る大きさの貫通孔を中央部近傍に有するシート状の第１吸収シート体を長手方向の略中心線に沿って折曲させ、長手方向の略中心線に沿って折曲されたシート状の第２吸収シート体によって、前記折曲された第１吸収シート体の貫通孔部分を封止するように、前記第１吸収シート体を挟み付け、前記第１吸収シート体表面の前記貫通孔外周側と前記第２吸収シート体表面との当接面と、前記第２吸収シート体表面同士の当接面と、を貼着することによって経血貯留穴になる袋部を形成せしめることにより上記（４）に記載の陰唇間パッドを構成することを特徴とする陰唇間パッドの製造方法。
【００２４】
上記（４）に記載の陰唇間パッドは、以下に示す方法により極めて簡便に製造することができる。まず、１対の小陰唇を外側から被包するように嵌合し得る大きさの貫通孔を中央部近傍に有するシート状の第１吸収シート体を長手方向の略中心線に沿って折曲する。この貫通孔が後に経血貯留穴の開口部となる。
【００２５】
次いで、図９に示すように、同じく長手方向の略中心線に沿って折曲されたシート状の第２吸収シート体４６ｂによって、折曲された第１吸収シート体４６ａの貫通孔部分４６ｃを封止するように、第１吸収シート体４６ａを挟み付ける。
【００２６】
更に、図１０に示すように、第１吸収シート体４６ａ表面の貫通孔４６ｃ外周側と第２吸収シート体４６ｂ表面との当接面４６ｄと、第２吸収シート体４６ｂ表面同士の当接面４６ｅと、を接着剤等により貼着する。最後に、図１１に示すように、第１吸収シート体４６ａを矢印方向に開くと、図８に示すような、経血貯留穴４４ｂとなる袋部を有する陰唇間パッド４４を得ることができる。当該陰唇間パッド４４は所望の形状にカットした状態で製品としてもよい。
【００２７】
（６）  前記経血貯留穴が、前記吸収シート体が折り込まれた折込部を有している上記（１）又は（２）に記載の陰唇間パッド。
【００２８】
上記陰唇間パッドは、パッドの使用前においては折り畳んでおくことができ、収納容積を小さくすることができるため、持ち運びが容易であることに加えて、使用時には折り畳まれたパッドを広げることによって極めて容易に経血貯留穴が形成されるため、その取扱いが簡便であるという利点がある。
【００２９】
（７）  前記折込部が前記経血貯留穴の側壁に形成されている上記（６）に記載の陰唇間パッド。
【００３０】
前記折込部は経血貯留穴を構成する吸収シート体のいずれの部分に形成してもよいが、例えば、図１２に示すように、経血貯留穴４４ｂの側壁に形成することができる。かかる形態の陰唇間パッド４４は、折込部４７を折り畳んだ状態とすることにより、高さ寸法を小さくすることができるため、パッド使用時における経血貯留穴を大きく構成した場合でも、嵩張らない状態で包装容器に収納することが可能である。従って、パッドの経血吸収能力（吸収量、吸収速度）の向上と、持ち運びや取扱いなどの利便性の向上に資する。
【００３１】
（８）  前記折込部が前記経血貯留穴の底部に形成されている上記（６）又は（７）に記載の陰唇間パッド。
【００３２】
前記折込部は経血貯留穴の側壁の他、例えば、図１３及び図１４に示すように、経血貯留穴４４ｂの底部に形成してもよい。即ち、折込部は経血貯留穴の側壁と底部の双方に、或いは底部のみに形成することができる。例えば図１３及び図１４に示す陰唇間パッド４４は、経血貯留穴４４ｂの底部に折込部４７が形成され、経血貯留穴４４ｂの底部が経血貯留穴４４ｂの開口部方向に向かって隆起した状態となっている。
【００３３】
この構造も上記（７）に記載の陰唇間パッドと同様に、パッドの経血吸収能力の向上と、持ち運びや取扱いなどの利便性の向上に資するものである。即ち、折込部４７の形成によって、経血貯留穴４４ｂの使用時における表面積を向上させることができるため、陰唇間パッド４４の経血吸収能力を向上させることができるとともに、図１５に示すように、使用前においては陰唇間パッド４４をコンパクトに折り畳んで収納することができるため、非常に収納性が良く、着用者にとって持ち運びも便利なものとなる。また、折り畳まれた陰唇間パッド４４を広げるのみで即時に経血貯留穴４４ｂが形成されるため、取扱いも非常に簡便である。なお、図１５は、２枚の吸収シート体４６ａ，４６ｂにより陰唇間パッド４４を構成した例を示すものである。
【００３４】
（９）  前記経血貯留穴の側壁及び底部の一方又は双方に、前記折込部が複数形成された蛇腹部を備えている上記（６）〜（８）のいずれかに記載の陰唇間パッド。
【００３５】
前記の折込部は単数のみならず、側壁及び底部の各々に複数形成して蛇腹状としてもよい。例えば、図１６に示す陰唇間パッド４４は、経血貯留穴４４ｂの側壁部のみに複数の折込部４７が形成された蛇腹部４８を有している。このように、経血貯留穴４４ｂに蛇腹部４８が形成されていると、折込部４７を１つ形成した場合に比して、持ち運びや取扱いなどの利便性を維持したまま、経血貯留穴の表面積を格段に増加させることができ、パッドの経血吸収能力をより一層向上させることができる。
【００３６】
蛇腹部は、経血貯留穴の側壁及び底部の一方又は双方に形成することができる。例えば、図１７に示すように、側壁及び底部の双方に蛇腹部４８を形成することも可能である。
【００３７】
（１０）  前記経血貯留穴の最大深さが１０ｍｍから６０ｍｍの範囲である上記（１）〜（９）のいずれかに記載の陰唇間パッド。
【００３８】
既述の如く、経血貯留穴はパッドの衣服側に膨出したものとなっているが、陰唇から下着に至るまでの空間に存在するように構成することが好ましく、経血の吸収能力をも考慮した上でその最大深さを決定すればよい。上記観点からすると、最大深さは１０〜６０ｍｍの範囲が好ましく、１５〜５０ｍｍの範囲が更に好ましく、２０〜４０ｍｍの範囲が特に好ましい。最大深さをこの範囲に設定することにより、経血貯留穴における吸収能力を向上させつつ、陰唇とのクリアランスを確保して陰唇とパッドとの接触を低減させることが可能である。また、パッドと衣服（下着）との接触面積を少なくすることができ、着用時の違和感を低減させることに資する。
【００３９】
（１１）  前記陰唇間パッドの身体側の表面に、前記経血貯留穴の開口部外周を包囲する粘着部が形成されている上記（１）〜（１０）のいずれかに記載の陰唇間パッド。
【００４０】
例えば、図１８に示すように、陰唇間パッド４４の身体側表面に粘着部４９を形成することにより、陰唇間パッド４４を陰唇間若しくは外陰部に、より強固に密着させることができる。このような態様は、着用者の急激な体勢変化によって陰唇間パッド４４と身体との間に空隙が生じたり、陰唇間パッド４４が位置ズレしたりすることを防止し、陰唇間パッド４４の脱落の危険性を低減することができる。従って、経血をより確実に経血貯留穴４４ｂに案内することが可能となり、着用者はその行動を制限されることなく、安心して自由な活動をすることができるようになる。
【００４１】
（１２）  生理用ナプキンと併用される生理用ナプキン併用用陰唇間パッドである上記（１）〜（１１）のいずれかに記載の陰唇間パッド。
【００４２】
生理用ナプキン（以下、単に「ナプキン」と記す。）の利用者の中には、経血の量が多いときは何枚か重ねて使用するという者もいるが、ゴワゴワする等、装着感が悪く、衣服の外部からパッドの存在を察知され易い（目立つ）という問題があった。また、膣近傍以外の重ね使用が不要な部分にまでナプキンが重ねられてしまうため、かぶれやムレの原因ともなっていた。しかし、パッドとナプキンを併用することにより、膣近傍のみに生理用品が重ねられることとなるため、上記の問題を回避することが可能である。更には、ナプキンを交換することなく、パッドのみを交換することができるため、着用者は人目につき易い大きさのナプキンを持ち歩かずに済む、という効果もある。
【００４３】
（１３）  上記（１）〜（１２）のいずれかに記載の陰唇間パッドが個別包装用の包装容器に内包されていることを特徴とする包装体。
【００４４】
陰唇間パッドを個別包装すると、パッドを一つずつ（個別包装毎に）持ち運ぶことが可能となる。このような形態は、複数のパッドを１つの包装容器内に内包させた場合と比較して、パッドを清潔に保ちつつ、持ち運びが容易となり、簡便な取扱いに資する。
【００４５】
（１４）  前記陰唇間パッドが、その長手方向の略中心線に沿って衣服側方向に向かって山折り状となるように、前記包装容器に内包されている上記（１３）に記載の包装体。
【００４６】
「衣服側方向に山折り状となるように」とは、衣服側を凸として完全に折曲されている場合の他、図１９に示すように、衣服側を凸として湾曲させられている場合も含む意味である。このように、陰唇間パッド４４を包装容器６１内に内包した包装体６２は、包装容器６１の開封時に折り畳まれた経血貯留穴４４ｂが自然に開くため、着用者はパッドの装着を一層迅速かつ簡易なものとすることができる。
【００４７】
（１５）  上記（６）〜（１２）のいずれかに記載の陰唇間パッドが個別包装用の包装容器に内包されている包装体であって、前記陰唇間パッドが、前記側壁における折込み部又は蛇腹部が折り込まれて収容されており、かつ、少なくとも前記底部が前記包装容器の内壁に仮止めされているものであって、当該包装容器の開封に伴って前記側壁における折込み部又は蛇腹部が広がって前記経血貯留穴が形成されるものであることを特徴とする包装体。
【００４８】
上記の包装体としては、例えば、図２０に示すように、経血貯留穴４４ｂの側壁に蛇腹部４８が形成された陰唇間パッド４４を包装容器６１に内包して成る包装体６２が挙げられる。この包装体６２においては、陰唇間パッド４４は蛇腹部４８が折り畳まれた状態で収容され、少なくとも経血貯留穴４４ｂの底部は包装容器６４の内壁に感圧型ホットメルト粘着剤などの粘着剤によって仮止めされている。
【００４９】
この包装容器６１は上面シート６１ａと、下面シート６１ｂと、から構成されており、陰唇間パッド４４を上下から挟み込むように包装している。このような包装体６２は、着用者が下面シート６１ｂを上面シート６１ａから剥がすようにして包装容器６１を開封することにより、図２１に示すように、経血貯留穴４４ｂの側壁における蛇腹部４８が広がって経血貯留穴４４ｂが形成される。従って、経血貯留穴６７の表面積が大きい陰唇間パッド４４であっても、コンパクトに折り畳んで内包することが可能である。また、包装容器６１を開封する一連の作業の中で経血貯留穴６４ｂを容易にかつ迅速に形成させることができる。
【００５０】
【発明の実施の形態】
以下、本発明の好適な実施形態の例について図面を参照しながら詳細に説明する。なお、以下の説明においては、「陰唇間パッド」を単に「パッド」と記す場合がある。
【００５１】
図１（ａ）は本発明に係る陰唇間パッド１４を示す上面図であり、図１（ｂ）は図１（ａ）に示す陰唇間パッド１４のＡ−Ａ’断面図である。
【００５２】
［（Ａ）  基本的な陰唇間パッドの構成］
本発明の基本的な陰唇間パッド１４は、例えば図１（ａ）及び図１（ｂ）に示すように、略平坦領域１４ａの中央部近傍に、経血を貯留させるための経血貯留穴１４ｂを備える。経血貯留穴１４ｂは、衣服側を底部とする有底穴であり、その開口部の大きさが１対の小陰唇を外側から被包するように嵌合し得る大きさに構成される。
【００５３】
陰唇間パッド１４の全体形状としては、陰唇に係着するのに好適な形状であれば特に限定されないが、実質的に縦長の形状であることが好ましく、具体的には、楕円型、卵型、ひょうたん型、雫型等の形状が挙げられる。
【００５４】
陰唇間パッド１４は、陰唇に係着した際に着用者の太腿や臀部の動きを妨げない長さ（パッドの長手方向の寸法）であることが好ましい。具体的には、５０〜１５０ｍｍの範囲であることが好ましく、６０〜１３０ｍｍの範囲であることが更に好ましく、８０〜１２０ｍｍの範囲であることが特に好ましい。また、パッド装着時の安定性を考慮し、太腿に接触し難い幅（パッドの短手方向の寸法）であることが好ましい。具体的には、３０〜８０ｍｍの範囲であることが好ましく、４０〜６０ｍｍの範囲であることが更に好ましい。
【００５５】
経血貯留穴１４ｂの形状は、楕円型、長方形型、ひょうたん型等の中から適宜選択すればよいが、陰唇との形状適合性を考慮すると、図１（ａ）に示すような縦長の楕円型であることが好ましい。
【００５６】
パッドは、例えば図２２に示すような、身体側に面する透水性の表面側シート１１と、衣服側に面する透水性又は不透水性の裏面側シート１２とが、吸収体１３を内包させた形態で接合された、単一の又は複数の吸収シート体１６から構成される。
【００５７】
表面側シート１１と裏面側シート１２とは、周縁部１５においてヒートエンボス加工及び／又はホットメルト型接着剤による接着により、吸収体１３を内包する形態で接合されている。
【００５８】
表面側シート１１と裏面側シート１２の周縁部を接合する場合においては、吸収体１３がその接合部分に挟み込まれないようにすることが好ましい。接合部分に吸収体１３が挟み込まれた場合には陰唇間パッド１４の周縁部１５が硬くなってしまい、装着時に異物感や不快感を生じたりするおそれがあるからである。吸収体１３が前記接合部分に挟み込まれないようにするためには、例えば、予め一部に開口部を残した状態で表面側シート１１と裏面側シート１２とを接合して袋状とし、当該袋状の部分に吸収体１３を詰め込めばよい。なお、吸収体１３の寸法は陰唇間パッド１４と同等であってもよいが、前記接合部分に吸収体１３が挟み込まれないようにするために、陰唇間パッド１４の外輪郭から２〜１０ｍｍの間隔を確保できるように、陰唇間パッド１４よりやや小さめに構成してもよい。
【００５９】
また、吸収体１３は、表面側シート１１及び裏面側シート１２と分離してしまうことを防止するために、両シートに対して貼着された状態となっている。パッド１４使用時（経血による湿潤時）には上記各部材の分離が生じ易いが、これを防止するためには、上記各部材をヒートエンボス加工により接着することがより好ましい。ヒートエンボス加工は、ドット状、或いはスクリーンパターン状に接着することが可能であり、エンボス部分の面積率を全面積の３〜２０％の範囲とすることにより、透水性を減殺することなく使用時（湿潤時）の強度を向上させることが可能である。
【００６０】
［表面側シート］
透水性の表面側シートとしては、織布、不織布、或いは有孔プラスチックシート等の液体を透過する構造のシート状物の中から、敏感な陰唇や陰唇内壁に対して刺激の少ない柔軟なものを選択すればよい。このような観点からは、カード方式で得られるスルーエア不織布、ポイントボンド不織布等を選択することが好ましい。また、水流交絡法で形成されるスパンレース不織布はドレープ性に優れている点において、エア圧により溶融樹脂を極めて細かい繊維に吹き出してシート化したメルトブローン不織布は細く柔軟な繊維で構成されている点において、好適に用いることができる。
【００６１】
上記シート状物を構成する繊維材料としては、天然繊維、再生繊維、半合成繊維、合成繊維のいずれも使用することが可能である。天然繊維の例としては、繊維長が５〜２５ｍｍの範囲である天然セルロース繊維が、再生繊維の例としては、繊維長が３８〜５１ｍｍの範囲であって、繊度が１．１〜３．３ｄｔｅｘの範囲である再生セルロースが、半合成繊維の例としては、半合成セルロースが、合成繊維の例としては、ポリエチレン（ＰＥ）、ポリプロピレン（ＰＰ）、ポリエチレンテレフタレート（ＰＥＴ）等が、挙げられる。合成繊維は、例えば、芯材がＰＰないしＰＥＴで、鞘部がＰＥというような、芯鞘構造を有する複合繊維であってもよい。
【００６２】
上記繊維材料の中でも、膣口から排泄される経血を吸収体に導くことができるような構造の繊維材料により構成されていることが好ましい。例えば、繊維断面の形状がＹ型、Ｃ型、幾何学型等の異型断面を有する合成繊維や、親水性で繊維表面に多数の微細溝を有する天然セルロース、再生セルロース（ビスコースレーヨン等）、半合成セルロース（アセテート等）等が挙げられる。
【００６３】
表面側シートのより具体的な構成としては、再生セルロース４０〜９０質量％と、天然セルロース繊維１０〜６０質量％とを、水流交絡法により目付を２０〜５０ｇ／ｃｍ２（好ましくは、２５〜３５ｇ／ｃｍ２)の範囲に調整したスパンレース不織布が挙げられる。また、いわゆる「トウ」（連続する繊維束を解繊することにより得られる）を５０〜２００ｇ／ｃｍ２の範囲で調整したものも、陰唇に対するフレキシブル性に優れた柔軟なシート状物である点において好ましい。
【００６４】
［吸収体］
吸収体は、親水性で液体（経血）の吸収保持が可能であればよく、嵩高であり、型崩れし難く、化学的刺激が少ないものであることが好ましい。また、パッドが陰唇に係着されるものであることを考慮すれば、柔軟性が高いものであることがより好ましい。
【００６５】
上記のような観点から選択される、吸収体を構成する繊維材料としては、例えば、木材パルプ、天然セルロース繊維、再生セルロース繊維、疎水性合成繊維に親水化処理を施したものが挙げられ、これらを単独で又は適宜混合して使用することができる。また、これらにアクリル酸、アクリル酸とデンプンのグラフト重合物、デンプン、カルボキシメチルセルロース、フォーム状の高吸水性高分子（フォームＳＡＰ（Super Absorbent Polymer））等の高分子吸収材の粒子状物、繊維状物、或いは合成繊維（単独繊維の他、芯鞘構造を有する複合繊維も含む）を混合してもよい。
【００６６】
上記の他にも、ティッシュ、親水化処理を施した発泡シート、親水化処理を施したメルトブローン不織布、親水性繊維を主体とする繊維ウエブ、繊維ウエブをシート化することにより得られるスパンレース不織布、サーマルボンド不織布等の不織布材料、既述の「トウ」、親水化処理を施した合成ゴムを主体とする発泡フォーム、セルロースを主体とするセルローススポンジ、のシート状物や粉砕物は吸収体として好適に用いることができる。
【００６７】
また、着用中の陰唇への適合性を考慮すると、例えば、導液管が形成されている開孔プラスチックシートとスパンレース不織布のラミネートシート又は当該ラミネートシートの粉砕物状を使用することも可能である。
【００６８】
吸収体のより具体的な構成としては、繊度２．２ｄｔｅｘの再生セルロース繊維を６０〜９０質量％、天然セルロース繊維を１０〜４０質量％の比率で混合した繊維ウエブを、水流交絡法によりシート状としてスパンレース不織布を形成し、これを単一で又は複数枚重ねることによって、目付けを５０〜５００ｇ／ｃｍ２（好ましくは、１５０〜４００ｇ／ｃｍ２）の範囲に調整したシート状物が挙げられる。
【００６９】
［裏面側シート］
裏面側シートに使用する材料は、透水性の素材を用いる場合には表面側シートと同様のものを用いることができる。この場合には、パッドを生理用ナプキンと併用することが好ましい（生理用ナプキン併用用パッド）。
【００７０】
また、前記裏面側シートに不透水性の素材を用いる場合には、吸収体に保持された経血が陰唇間パッドの外へ漏れ出すことを防止することができる。不透水性の素材としては、不透水性であることの他、柔軟性が高いことが好ましい。具体的にはポリオレフィン樹脂（例えば、低密度ポリエチレン（ＬＤＰＥ）、線状低密度ポリエチレン（ＬＬＤＰＥ）、高密度ポリエチレン（ＨＤＰＥ）等）を原料とするフィルムや、合成ゴム（例えば、スチレン−エチレン・ブタジエン−スチレンブロック共重合体（ＳＥＢＳ）、スチレン−イソプレン−スチレンブロック共重合体（ＳＩＳ）、スチレン−ブタジエン−スチレンブロック共重合体（ＳＢＳ）、ウレタン等）を原料とするフィルム等が挙げられる。
【００７１】
不透水性素材は、透湿性を有するものであることが好ましい。装着時のムレを低減させることができ、装着時における不快感を低減させることが可能となるからである。例えば、無機充填剤を混合し延伸処理を施すことにより微細なセルを形成するいわゆる透湿性フィルム、ポリエステル・ポリエーテルのブロック共重合樹脂から成る無孔性の透湿性フィルム、液体が漏出し難い程度の通気孔を持つ有孔透湿フィルム等を好適に使用することができる。
【００７２】
［粘着部］
粘着部の配置の仕方としては、面状、ドット状、網目状、筋状などが挙げられる。粘着部の位置は身体への固定が可能であれば特に限定されないが、陰唇付近、特に陰唇の手前部分にある陰毛の存在を考慮した上で、パッドの両側部近傍に筋状に１〜５ｍｍ程度の幅で配置することが好ましい。
【００７３】
「粘着部」は表面側シートに粘着剤を塗布することにより形成することができる。本発明において使用可能な粘着剤としては、水溶性高分子、架橋剤、可塑剤、水分から成るゲル粘着剤等が挙げられる。より具体的には、水溶性高分子の例として、ゼラチン、ポリアクリル酸ナトリウム、ポリビニルアルコール、カルボキシルメチルセルロース等が、架橋剤の例として、塩化カルシウム、硫酸マグネシウムのような水溶性金属塩が、可塑剤の例として、グリセリン、ワックス、パラフィン等が挙げられる。
【００７４】
この他にも、感圧型ホットメルト粘着剤も粘着部を形成するための粘着剤として使用することができる。感圧型ホットメルト粘着剤は、スチレン−イソプレン−スチレンブロック共重合体（ＳＩＳ）、スチレン−ブタジエン−スチレンブロック共重合体（ＳＢＳ）、スチレン−エチレン・ブタジエン−スチレンブロック共重合体（ＳＥＢＳ）、スチレン−エチレン・プロピレン−スチレンブロック共重合体（ＳＥＰＳ）のような合成ゴム樹脂を主たる成分とし、そこにテルペン樹脂、ロジン樹脂などの粘着付与剤とワックス等の可塑剤を溶融混合することによって得られる。
【００７５】
更には、シリコーン樹脂系粘着剤も使用することが可能である。シリコーン樹脂系粘着剤としては、シリコーン樹脂、フッ素樹脂を主たる成分とし、白金、モリブデン、アンチモン等の金属塩等の架橋剤、エステル系ワックス、グリセリン、マシンオイル等の可塑剤を混合して成る混合物などが挙げられる。
【００７６】
このように粘着部を形成するための粘着剤は多種類存在するが、塗布安定性を考慮すると、感圧型ホットメルト粘着剤を用いることが好ましい。塗布安定性が高い感圧型ホットメルト粘着剤としては、ＳＥＢＳを１５〜２５質量％、可塑剤を１５〜３５質量％、粘着付与剤を４０〜７０質量％で溶融混合したものが挙げられる。この感圧型ホットメルト粘着剤については、酸化防止剤、蛍光防止剤などを０．１〜１．０質量％の範囲で添加してもよい。
【００７７】
この粘着力の評価方法の一例について説明する。かかる評価方法は、粘着剤の剥離強度（図２３）、及び粘着剤のせん断強度（図２４）を測定するものであり、定速伸張引張試験機及び長さ８０ｍｍ×幅５０ｍｍのステンレス板７１を用いて行う。評価試験を行うに際しては、予め、ステンレス板７１と略同サイズのポリエチレンフィルム７２に、粘着剤７３を幅２５ｍｍ、長さ５０ｍｍとなるよう塗布したものを室温下（２０℃）で３０分放置しておく。次に、ステンレス板７１に粘着剤７３が接触するようポリエチレンフィルム７２を重ねて軽く載せ、３０ｇ／ｃｍ２の押圧力でローラーを１回（片道のみ）かける。その後に室温下（２０℃）に３０分放置して試験片を作製する。
【００７８】
前記のように作製した試験片のポリエチレンフィルム７２の部分を、剥離強度試験においては図２３に示す矢印Ａの方向に引っ張って剥離し（１８０°剥離）、せん断強度試験においては図２４に示す矢印Ｂの方向に引っ張る。但し、試験条件は、引張速度を１００ｍｍ／ｍｉｎとする。
【００７９】
上記方法により測定した場合における剥離強度の測定値は１００〜２０００ｍＮ／２５ｍｍ、せん断強度の測定値は３０００〜１５０００ｍＮ／２５ｍｍであることが好ましい。着用者の肌への負担を考慮したものである。
【００８０】
なお、粘着部については、一般に剥離紙として用いられている薄葉紙にシリコーン樹脂をコーティングして成るシート、又はプラスチックフィルムにシリコーン樹脂をコーティングして成るシートで被覆しておくことが好ましい。こうすることにより、保管時における粘着部の汚損や剥離を防止し得る。
【００８１】
［（Ｂ）  生分解性・水分散性・水溶性を付与した陰唇間パッドの構成］
本発明の陰唇間パッドは生分解性素材及び／又は水分散性素材及び／又は水溶性素材で構成されていることが好ましい。このようなパッドは使用後そのままトイレに脱落させて流すことができるため、パッドの破棄を簡便かつ清潔に行うことができ、トイレ内のゴミの低減を図ることもできるからである。
【００８２】
本明細書において、「生分解性」とは、放線菌をはじめとする細菌、その他の微生物の存在下、自然界のプロセスに従って、嫌気性又は好気性条件下で物質が二酸化炭素又はメタン等のガス、水及びバイオマスに分解されることをいい、当該物質の生分解能（生分解速度、生分解度など）が、落ち葉等の自然に生じる材料、もしくは同一環境下で生分解性として一般に認識される合成ポリマーに匹敵することをいう。「水分散性」とは、水解性と同じ意味であって、使用時の限定された量の水分（経血）では影響はないものの、多量の水または水流中では、繊維同士が、少なくとも一般のトイレ配管を詰まらせることがない程度の小断片に容易に分散される性質のことをいう。「水溶性」とは、使用時の限定された量の水分（経血）では影響はないものの、多量の水または水流中においては溶解する性質のことをいう。
【００８３】
［表面側シート］
透水性の表面側シートの素材としては、天然繊維、化学繊維のいずれも使用することが可能である。天然繊維の例としては、粉砕パルプ、コットン等のセルロース、これらを水溶性樹脂により化学結合して成るエアレイドパルプ等が挙げられる。化学繊維の例としては、レーヨン、フィブリルレーヨン等の再生セルロース、ＰＥ、ＰＰ、ＰＥＴ、エチレン酢酸ビニル共重合体等の化学繊維に親水化処理を施したものの他、いわゆる生分解性繊維であるポリ乳酸、ポリブチレンサクシネート等が挙げられる。また、水溶性を有するカルボキシメチルセルロース、ポリビニルアルコール等を用いてもよい。前記の素材の中でも、パルプやコットン等のセルロース、レーヨン等の再生セルロース、ポリ乳酸等のいわゆる生分解性繊維を用いることが好ましい。
【００８４】
なお、前記の素材は、単独で若しくは混合して、ウェブ又は不織布に成形して用いることができる。ポリ乳酸やポリブチレンサクシネート等のいわゆる生分解性繊維のウェブフォーミングは、カード法、スパンボンド法、メルトブローン法又はエアレイド法による乾式法や湿式法のいずれか、又はこれらを複数組み合わせることにより行ってもよい。ボンディングの方法としては、サーマルボンディング、ニードルパンチ、ケミカルボンディング等の方法が挙げられるが、特にこれらの方法に限定されるものではない。また、水流交絡法によりシート状に形成したスパンレースを用いてもよい。
【００８５】
水分散性を付与する成形方法の例として、繊維同士の水素結合により繊維をシート状に成形して水解紙とする方法、水溶性のバインダーにより繊維同士を結合させ、シート状に成形して水解紙とする方法、或いは繊維を交絡させシート状に成形して水解紙とする方法、などが挙げられる。
【００８６】
なお、良好な水分散性能を持たせるためには、繊維長を２〜５１ｍｍの範囲とすることが好ましく、２〜１０ｍｍの範囲とすることがより好ましい。更に、水分散性と使用時に破損を生じることのない強度とを併有させるために、繊度（太さ）は１．１〜４．４ｄｔｅｘの範囲から選択することが好ましい。特に、繊維としてレーヨンを用いる場合には、その繊度を１．１〜３．３ｄｔｅｘの範囲とすることが好ましい。この範囲未満の場合には水分散性は良好となるものの、乾燥時においてケバ立ち、ケバ抜けが発生し易く、一方、この範囲を超えた場合には水分散性が著しく低下する。
【００８７】
表面側シートの目付は２０〜６０ｇ／ｍ２の範囲とすることが好ましい。また、表面側シートの破断強度（つかみ間隔１００ｍｍ、引張速度１００ｍｍ／分で定速伸長した場合の破断強度）は、縦横ともに少なくとも８００ｍＮ／２５ｍｍであることが必要であり、装着時の柔軟性を考慮すると１０００〜７０００ｍＮ／２５ｍｍの範囲とすることが好ましい。
【００８８】
表面側シートのより具体的な構成としては、例えば、１．１〜４．４ｄｔｅｘで５〜１０ｍｍの長さのレーヨン繊維と木材パルプとを９０：１０〜７０：３０の質量比で混合し、目付を２５〜４０ｇ／ｍ２、厚みを０．２〜０．５ｍｍに調整した湿式スパンレース不織布、などが挙げられる。なお、表面側シートには経血の透過性（透水性）を実質的に向上させたり、或いは経血が透過し易いイメージを付与するために複数の孔を穿設することもできる。この場合、孔径を０．５〜１．５ｍｍの範囲で、孔部面積率（全面積に対する開孔率）を３〜２０％の範囲で形成すればよい。
【００８９】
［吸収体］
吸収体の素材としては、透水性の表面側シートと同様のものを用いることができる。更には、アルギン酸ソーダ、デンプン、カルボキシメチルセルロース等の吸収材や高吸収性ポリマーの粒状物又は繊維状物を単独で若しくは前記の素材と混合し、これを成形したものを用いることも可能である。
【００９０】
吸収体の具体的な構成としては、例えば、木材パルプを目付１５０〜５００ｇ／ｍ２に積層してティッシュに封入し、これをプレス装置にて厚み２〜１０ｍｍに調整したもの、等が挙げられる。デンプンなどの吸収材を５〜３０ｇ／ｍ２の比率で上記吸収体に混入させることにより、経血の吸収や保持能力を増加させることも可能である。
【００９１】
［裏面側シート］
不透水性の裏面側シートの素材としては、メチルセルロース、ヒドロキシエチルセルロース、カルボキシメチルセルロースなどのセルロース誘導体、ポリビニルアルコール、アルギン酸ソーダ、ポリアクリル酸ソーダ、ポリアクリル酸エーテル、ポリビニルピロリドン、イソブチレンと無水マレイン酸との共重合体のような水溶性高分子、或いは、ポリ乳酸、ポリブチレンサクシネート、デンプン、デキストリンなどの生分解性高分子が挙げられる。
【００９２】
前記の素材については、単独で若しくは前記の素材と混合してメルトブローン不織布やフィルムシートに成形することが可能である。更に、当該フィルムシートにシリコーン樹脂などの撥水性素材を塗布し、或いは混合せしめてもよく、また、前記の素材から成る不織布にラミネート加工を施したものであってもよい。
【００９３】
不透水性の裏面側シートの具体的な構成としては、例えば、ポリビニルアルコールを目付２０〜５０ｇ／ｍ２に調整したフィルムの少なくとも片面に、より好適には両面に、シリコーン樹脂又はフッ素樹脂を厚さ０．５〜５μｍに塗布したもの等、が挙げられる。
【００９４】
［ミニシート片］
ミニシート片としては、ポリビニルアルコールから成るフィルム、或いは、ポリビニルアルコールから成るフィルムとティッシュとのラミネート材などが挙げられる。
【００９５】
［接合方法］
また、本発明に適用される接合方法としては、水溶性又は水膨潤性を有するポリビニルアルコール等による接着、ヒートシール、或いは水素結合による接合、等の接合方法を単独で若しくは適宜組み合わせて用いることができる。
【００９６】
【発明の効果】
以上説明したように、本発明に係る陰唇間パッドにおいては、パッドの中央部近傍に経血貯留穴を備えたので、陰唇間パッドが本来有している清潔的性能を維持しつつ、横モレを防止し、更には、その吸収保持能力を格段に向上させることができる。また、本発明に係る包装体は、陰唇間パッドの折込部又は蛇腹部が折り込まれて収容されており、かつ、少なくとも経血貯留穴の底部が包装容器の内壁に仮止めされているので、包装容器の開封に伴って折込み部又は蛇腹部が広がって経血貯留穴が形成される。従って、陰唇間パッドをコンパクトに収納し、かつ、その機能を即時に発揮し得るように取り出すことが可能となる。
【図面の簡単な説明】
【図１】  本発明の陰唇間パッドの構成を示す図であって、（ａ）は上面図、（ｂ）は（ａ）のＡ−Ａ’断面図である。
【図２】  従来の陰唇間パッドの構成を示す斜視図である。
【図３】  従来の生理用ナプキンの構成を示す斜視図である。
【図４】  本発明の陰唇間パッドの構成を示す斜視図である。
【図５】  図４に示す陰唇間パッドのＡ−Ａ’断面図である。
【図６】  本発明の陰唇間パッドの断面を示す斜視図である。
【図７】  図６に示す陰唇間パッドの製造工程を示す工程図である。
【図８】  本発明の陰唇間パッドの断面を示す斜視図である。
【図９】  図８に示す陰唇間パッドの製造工程を示す説明図である。
【図１０】  図８に示す陰唇間パッドの製造工程を示す説明図である。
【図１１】  図８に示す陰唇間パッドの製造工程を示す説明図である。
【図１２】  本発明の陰唇間パッドの断面を示す斜視図である。
【図１３】  本発明の陰唇間パッドの断面を示す斜視図である。
【図１４】  図１３に示す陰唇間パッドのＡ−Ａ’断面図である。
【図１５】  本発明の陰唇間パッドを折り畳んだ状態の断面図である。
【図１６】  本発明の陰唇間パッドの断面図である。
【図１７】  本発明の陰唇間パッドの断面図である。
【図１８】  本発明の陰唇間パッドの断面を示す斜視図である。
【図１９】  本発明の包装体の構成を示す斜視図である。
【図２０】  本発明の包装体の構成を示す断面図である。
【図２１】  本発明の包装体の構成を示す断面図である。
【図２２】  吸収シート体の構成を示す断面図である。
【図２３】  粘着剤の剥離強度測定の実験状況を示す図である。
【図２４】  粘着剤のせん断強度測定の実験状況を示す図である。
【符号の説明】
１１，３１，４１  表面側シート
１２，３２，４２  裏面側シート
１３，３３，４３  吸収体
１４，２４，４４  陰唇間パッド
１４ａ，４４ａ  略平坦領域
１４ｂ，４４ｂ  経血貯留穴
１５    周縁部
１６，４６  吸収シート体
２４ａ  前方領域
２４ｂ  後方領域
２６    略中心線
３４    生理用ナプキン
３６    フラップ
３７    粘着部
４６ａ  第１吸収シート体
４６ｂ  第２吸収シート体
４６ｃ  貫通孔
４６ｄ  第１吸収シート体表面の貫通孔外周側と、第２吸収シート体表面と、の当接面
４６ｅ  第２吸収シート体表面同士の当接面
４７    折込部
４８    蛇腹部
４９    粘着部
５０    凸金型
５１    凹金型
６１    包装容器
６１ａ  上面シート
６１ｂ  下面シート
６２    包装体
７１    ステンレス板
７２    ポリエチレンフィルム
７３    粘着剤
【図１】
0004632597.tif 000002
【図２】
0004632597.tif 000003
【図３】
0004632597.tif 000004
【図４】
0004632597.tif 000005
【図５】
0004632597.tif 000006
【図６】
0004632597.tif 000007
【図７】
0004632597.tif 000008
【図８】
0004632597.tif 000009
【図９】
0004632597.tif 000010
【図１０】
0004632597.tif 000011
【図１１】
0004632597.tif 000012
【図１２】
0004632597.tif 000013
【図１３】
0004632597.tif 000014
【図１４】
0004632597.tif 000015
【図１５】
0004632597.tif 000016
【図１６】
0004632597.tif 000017
【図１７】
0004632597.tif 000018
【図１８】
0004632597.tif 000019
【図１９】
0004632597.tif 000020
【図２０】
0004632597.tif 000021
【図２１】
0004632597.tif 000022
【図２２】
0004632597.tif 000023
【図２３】
0004632597.tif 000024
【図２４】
0004632597.tif 000025